(57)【要約】【課題】  本考案は、おむつの交換と共に、乳幼児の身長を計測し、発育状態を確認し得る身長計付きおむつ交換台を提供すること。【解決手段】  箱体の上端に設けた床マットの後端及び左右両端より、箱体の背板及び左右両側板を突出させてなるおむつ交換台において、少なくとも片側の側板の上端に身長計測用のメジャーを固定し、左右両側板の外側面の上部に、前端から後端に亘って下面が横巾方向に傾斜したガイド溝を形成し、左右両側板上及び床マット上を前後に移動するカーソル板の左右両端に前後方向のスライド板を設け、このスライド板の内側面に設けた前後方向の突条を前記ガイド溝に嵌合すると共に、突条の横巾方向に傾斜した下面を前記ガイド溝の下面にスライド自在に保持させている。【選択図】      図１
0003135761.tif 000002
【実用新案登録請求の範囲】
【請求項１】
箱体の上端に設けた床マットの後端及び左右両端より、箱体の背板及び左右両側板を突出させてなるおむつ交換台において、少なくとも片側の側板の上端に身長計測用のメジャーを固定し、左右両側板の外側面の上部に、前端から後端に亘って下面が横巾方向に傾斜したガイド溝を形成し、左右両側板上及び床マット上を前後に移動するカーソル板の左右両端に前後方向のスライド板を設け、このスライド板の内側面に設けた前後方向の突条を前記ガイド溝に嵌合すると共に、突条の横巾方向に傾斜した下面を前記ガイド溝の下面にスライド自在に保持させたことを特徴とする身長計付きおむつ交換台。
【考案の詳細な説明】
【技術分野】
【０００１】
本考案は、乳幼児の身長を計測し、発育状態を確認する身長計付きおむつ交換台に関するものである。
【背景技術】
【０００２】
特開昭４８−７１０９１号公報には、後端に頭当て片を設けた外枠に、前端に脚当て片を設けた内枠を前後に摺動自在に嵌合し、外枠の左右両側の対向辺の少なくとも一辺に計測用目盛部を形成した身長測定器が開示されている。
【０００３】
この身長測定器は、床とかベッド上に置いて使用するものと判断されるが、内枠の中に幼児を寝かせて外枠の頭当て片に当接させ、予め幼児の身長以上に伸張させた内枠を外枠内に押し込み、内枠の脚当て片を脚部に当接させた後、内枠の先端位置を計測用目盛部により読み取り、計測するものである。
【０００４】
従って、この身長測定器に床マットを設置しておむつ交換台として使用しようとしても、床マットを設置することができず、またおむつ交換時に内枠の脚当て片が邪魔になる不便がある。
【０００５】
【特許文献１】特開昭４８−７１０９１号公報
【考案の開示】
【考案が解決しようとする課題】
【０００６】
本考案は、おむつの交換と共に、乳幼児の身長を計測し、発育状態を確認し得る身長計付きおむつ交換台を提供しようとするものである。
【課題を解決するための手段】
【０００７】
本考案に係る請求項１の身長計付きおむつ交換台は、箱体の上端に設けた床マットの後端及び左右両端より、箱体の背板及び左右両側板を突出させてなるおむつ交換台において、少なくとも片側の側板の上端に身長計測用のメジャーを固定し、左右両側板の外側面の上部に、前端から後端に亘って下面が横巾方向に傾斜したガイド溝を形成し、左右両側板上及び床マット上を前後に移動するカーソル板の左右両端に前後方向のスライド板を設け、このスライド板の内側面に設けた前後方向の突条を前記ガイド溝に嵌合すると共に、突条の横巾方向に傾斜した下面を前記ガイド溝の下面にスライド自在に保持させたことを特徴としている。
【０００８】
この身長計付きおむつ交換台は、従来と同様に、床マット上に乳幼児を寝かせ、おむつを交換するものであるが、乳幼児の身長を測る場合はカーソル板を手前に移動してから、乳幼児の頭が背板に接触するように床マットに寝かせ、伸ばした脚裏にカーソル板を接触させ、脚が接しているカーソル板面の位置の目盛りを読むことにより身長を確認する。測定後はカーソル板がおむつ交換時の邪魔になるので、背板に当接して置くのである。
【０００９】
上記左右両スライド板に設けた突条の下面と、左右両側板の側壁面に設けたガイド溝の下面とを傾斜面とし、このガイド溝の下面に前後方向に長い突条の下面がカーソル板の重量により加圧状態で保持されているため、カーソル板を前後に移動させた場合、カーソル板は常に左右両側板に対して直交状態を保ち、背板と平行状態を保って前後にスムーズに移動するのである。
【考案の効果】
【００１０】
請求項１の身長計付きおむつ交換台は、おむつを交換する際に、カーソル板を後部に移動するときは、カーソル板が邪魔になることがない。また手前に移動したカーソル板を使用することにより、乳幼児の身長を容易に測定することができる。
【００１１】
カーソル板を前後に移動する場合、左右両端が前後にずれ、拗れを生ずることがないので、円滑な移動ができる。
【考案を実施するための最良の形態】
【００１２】
以下、本考案に係る請求項１の実施形態を図１〜図４を参照して詳細に説明する。図１は斜視図であり、図２は一部縦断正面図であり、図３は要部の一部切欠き平面図であり、図４は図３におけるＡ−Ａ線の断面図である。
【００１３】
符号１は衣類とか小物を収容する箱体２の棚板３上に載置したクッション性を有する床マットであり、この床マット１の後端より箱体２における背板４の上端を突出させ、床マット１の左右両側より箱体２における左右両側板５の上端を突出させている。この左側板５の上端には、後端より前端に向かって０cmから８０数cmの目盛り６を施したメジャー７を貼着している。また左右両側板５の外側面の上部には、前端から後端に亘ってガイド溝８を形成している。このガイド溝８の下面は横巾方向、即ち側板５の厚さ方向であって、側板５の外壁面より内側へ上向きに傾斜している。
【００１４】
符号９は左右両側板５上及び床マット１上を前後に移動するカーソル板であり、その前面にはクッション板１０を添設し、左右両側端には前後方向のスライド板１１を設けている。この左右のスライド板１１の内側面に前後方向の突条１２を設け、これをガイド溝８に嵌合すると共に、突条１２の横巾方向であって、基端より先端へ上向きに傾斜した下面を、ガイド溝８の下面にスライド自在に面接触させている。
【００１５】
尚、符号１３はガイド溝８に貼着したプラスチック製の滑り板である。１４はカーソル板９の後退状態を維持するために、右側のスライド板１１に設けたストップピンであり、先端を右側板の後部に穿設した受け孔(図示せず)に出没自在に嵌入している。符号１５はカーソル板９へのスライド板１１の締結ボルト、１６はナット、１７は箱体２の後端に設けた左右一対のキャスターである。
【００１６】
本考案の実施形態は、上記のように構成されているので、図１に実線で示すように、カーソル板９を後退させた後、床マット１上に乳幼児を寝かせ、おむつの交換をする。図１に鎖線で示すように、カーソル板９を手前に移動させた後、床マット１上に寝かせた乳幼児の頭部を背板４に接触させ、カーソル板９の後側面を乳幼児の脚部に接触させ、図３に示すように、カーソル板９の後側面が位置するメジャー７の目盛り６により、乳幼児の身長を測定するのである。
【００１７】
上記実施形態にあっては、おむつを交換する際に、邪魔になるカーソル板９を後方に移動することにより、床マット１を広く使用することができ、またカーソル板９に添設したクッション板１０により、乳幼児の頭部を保護することができる。更にカーソル板９を手前に引いて身長を計る際は、背板４の平坦な前側面とカーソル板９の平坦な後側面とにより、正確に計測することができる。
【００１８】
しかも左右のスライド板１１に設けた突条１２は前後方向に長く、そのうえ突条１２の下面と、左右両側板５のガイド溝８の下面が夫々横巾方向に傾斜し、面接触しているため、カーソル板９を移動する際の拗れ作用が防止され、円滑に移動することができる。
【図面の簡単な説明】
【００１９】
【図１】本考案の一実施の形態を示す斜視図である。
【図２】同上一部縦断正面図である。
【図３】同上実施の形態における要部の一部切欠き平面図である。
【図４】図３におけるＡ−Ａ線の断面図である。
【符号の説明】
【００２０】
１        床マット
２        箱  体
３        棚  板
４        背  板
５        左右両側板
６        目盛り
７        メジャー
８        ガイド溝
９        カーソル板
１０      クッション板
１１      スライド板
１２      突  条
【図１】
0003135761.tif 000003
【図２】
0003135761.tif 000004
【図３】
0003135761.tif 000005
【図４】
0003135761.tif 000006